(57)【特許請求の範囲】
【請求項１】
アルコールを主成分とした固形燃料成形体より分断した細切れ状固形燃料と、その全体を包装した内装用樹脂フィルム又はシートと、上部が開口している外装用金属箔など難燃性材の容器とからなり、該固形燃料を包装した内装用樹脂フィルム又はシートの全周側面部において、難燃性材が山部と谷部との縁部を有して接着又は接合され、空気接触面を大きくしたことを特徴とする、早炊き用固形燃料。
【請求項２】
アルコールを主成分とした固形燃料成形体より分断した細切れ状固形燃料と、上部が開口している外装用金属箔など難燃性材の容器とからなり、該固形燃料を包装した難燃性材の全周側面部が山部と谷部との縁部を有し、空気接触面を大きくしたことを特徴とする、早炊き用固形燃料。
【請求項３】
固形燃料を包装した難燃性材の全周側面部がサインカーブの周縁部を有していることを特徴とする、請求項１又は請求項２に記載の早炊き用固形燃料。
【請求項４】
固形燃料を包装した難燃性材の全周側面部が凹凸状周縁部を有していることを特徴とする、請求項１又は請求項２に記載の早炊き用固形燃料。
【請求項５】
細切れ状固形燃料が円柱状であることを特徴とする、請求項１、請求項２、請求項３又は請求項４に記載の早炊き用固形燃料。
【発明の詳細な説明】
【０００１】
【発明の属する技術分野】
本発明は、主にアルミ箔など難燃性材により外装包装された、アルコールを主成分とした固形燃料に関し、とくその外装包装に改良が加えられた、早炊き用固形燃料に関する。
【０００２】
【従来の技術】
アルコールを主成分とした固形燃料成形体より分断した、輪切り片など細切れ状固形燃料は、例えば実公昭５８−２９１６４号公報により知られている。この細切れ状固形燃料を蒸発防止のために樹脂フィルムによりほぼ密封包装し、さらに内面に熱接着剤層を設け、これが前記樹脂フィルムと接合して熱接着するよう、包み込み上部が開口している有底アルミ箔容器により包装し、上部より固形燃料と共に樹脂フィルムも完全燃焼させ、このような燃焼による残渣を容器内に受けるようにしたものは、例えば実開昭６０−５２９４９号公報により公知であり、図５に例示されている。
【０００３】
【発明が解決しようとする課題】
課題が２つあり、その１つは早炊きに関する。従来例は、図５に示すように、樹脂フィルム２により包装された固形燃料１をその周側面部からみると、その上部を少し残して下部及び底部までアルミ箔３１により包装されており、この包装されている部分は空気に触れない。つまり、このような固形燃料は、旅館などで時間に拘束されず寛ぎながら味わえる鍋物のような料理に向いており、着火からの燃焼時間が比較的長く火力が弱い。
【０００４】
しかしながら、料理によっては、例えば釜めしなどで、しかもドライブ・イン、ゴルフ場の昼食などでは、その煮炊きが短時間で終えることがお客にとって好ましく、また営業主にとってお客の出入りを多くして、いわゆる早い顧客回転率が望まれており、早炊き用固形燃料が求められている。
【０００５】
もう１つ課題は火飛び防止に関する。従来例は、図５に示すように、その上部を少し残しながらアルミ箔がほぼ側面全面をおおった形状であるので、アルミ箔容器中の燃料がアルミ箔周壁と燃えかす（主に石っけん分）で形成された堅固な蓋で完全におおわれるため、燃料内部圧が過大に高まり、アルコール蒸発の突沸現象が起る。従来例は、この突沸の際に、燃焼している燃料の一部が小爆発に伴い燃料容器外に飛び出し、いわゆる火飛び現象を起し易い。
【０００６】
本発明の目的は、火力が強くて比較的短い時間で燃焼つくしてしまい、その時間内で料理が炊き上っているように火力調整が可能で、かつ燃料の火飛びを防止する、早炊き用固形燃料を提供することである。
【０００７】
【課題を解決するための手段】
前記した目的は、アルコールを主成分とした固形燃料成形体より分断した細切れ状固形燃料と、その全体を包装した内装用樹脂フィルム又はシートと、上部が開口している外装用金属箔など難燃性材の容器とからなり、該固形燃料を包装した樹脂フィルムの全周側面部において、難燃性材が山部と谷部との縁部を有して接着又は接合され、空気接触面を大きくしたことにより、達成される。
また同様の目的は、アルコールを主成分とした固形燃料成形体より分断した細切れ状固形燃料と、上部が開口している金属箔など難燃性材の容器とからなり、該固形燃料を包装した難燃性材の全周側面部が山部と谷部との縁部を有し、空気接触面を大きくしたことにより、達成される。
【０００８】
【作用】
図４に示すように、樹脂フィルム２により包装された固形燃料１をその周側面部からみると、その下部を少しだけにして底部までアルミ箔など難燃性材３２により包装すれば、空気に触れる部分が大きくなるが、燃焼時のアルコールの蒸発面積が大きくなり過ぎ、酸素（空気）供給不足となり、不完全燃焼が起り易くなる。またそのアルミ箔など難燃性材の側面部に対する接着部分が小さいだけに接着が不十分となり、その部分でアルミ箔など難燃性材の包装が解けて商品価値を失なってしまう。
【０００９】
そこで、その周側面部においてアルミ箔など難燃性材の包装が解けないように山部と谷部とを設けて、接着又は接合が十分な程にアルミ箔など難燃性材の面積をとり、かつ空気の触れる部分を大きくし、これにより固形燃料を上部より着火すると、火力が強くて比較的短い時間で燃焼つくしてしまう。他方、これに適用する釜めしなどの料理の食材もその燃焼時間内で炊き上るよう、スピード加工米など用意され用いられる。
【００１０】
固形燃料の燃焼時、固形燃料の燃えかすが燃料上部に蓄積し、これが上部開口部を持つアルミ箔など難燃性材容器に納められた固形燃料の上部をおおい、蓋のはたらきをする。一方、燃焼中の固形燃料は全体が高温になるため内部でアルコールの沸騰が起り、周側面部にアルミ箔など難燃性材が接着されていると、そのアルコール蒸気が上方へふき出る現象が生ずる。
【００１１】
そこで、燃料の周側面部にアルミ箔など難燃性材が山部と谷部とで接着又は接合されていると、その谷部では燃料内部で生じたアルコール蒸気が上方以外に周側方向に逃げ出すことにより、過大な内部圧力の蓄積が防止され、火飛び現象が起らない。
【００１２】
【発明の実施の形態】
本発明の好適な実施例は、図面に基づいて説明される。
図１はその１実施例を示した周側面図であり、アルコールを主成分とした固形燃料成形体（図示せず）より分断した細切れ状固形燃料１と、その全体をシュリンク加工手段などによりほぼ密封包装した、例えばポリプロピレンの樹脂フィルム２と、内面に熱接着剤層（図示せず）を設け、これが前記樹脂フィルムと接合して熱接着するように、底部より絞って包み込み、上部が開口している外装用アルミ箔など難燃性材の容器３とからなり、該固形燃料を包装した樹脂フィルムの全周側面部において、アルミ箔など難燃性材が山部４と谷部５との縁部を有して接着され、空気接触面が大きくされている。
【００１３】
図１の下段に示すものは、アルミ箔など難燃性材３の展開平面図でその内面３ａを例示しており、ここにホットメルトのような図示しない熱接着剤層が設けられている。なお、６は絞りしわを示している。
【００１４】
他の熱接着剤としては、熱可塑性アクリル樹脂系接着剤、エチレン−酢酸ビニル系接着剤、塩化ビニル−酢酸ビニル系接着剤などがあり、任意に選択される。また、このような樹脂フィルムとの接着は熱接着に限らない、例えば塗布した当初にて粘着性を呈せしめることが可能な溶液又はエマルジョン型接着剤或いは感圧型接着剤が用いられてもよい。
しかしながら、接着行程を用いずに、外装用難燃材を内装用樹脂フィルム又はシートに接合して包み込んでもよい。
本発明による固形燃料は、上記の樹脂フィルム又はシートを内装に用いずに、細切れ状固形燃料本体に直接アルミ箔など難燃性材外装容器のみを用いたものでもよい。この場合、固形燃料が蒸発し易いが、着火し易い。また難燃材とは、銅、ステンレスなどの金属箔とか難燃性の紙なども含まれる。
【００１５】
図１ではアルミ箔など難燃性材３の山部４と谷部５とによりサインカーブの周縁部が形成されているが、図２の実施例では、その下段に例示するアルミ箔など難燃性材３’を用いれば、その上段に示すように凸部４’と凹部５’との周縁部が形成され、空気接触面が同様に大きくなる。また、図３に示すようなアルミ箔など難燃性材３”を使うと、山部４”と谷部５”とが図１、図２のように周側面部に現われ、空気接触面が大きくなる。
【００１６】
本発明によれば、アルミ箔など難燃性材の展開平面図において他に四角形を含む多角形のものを用いると、それに応じた数の山部と谷部とが形成されるが、その数に限定されず、初期の空気接触面を大きくし、かつ段階的に調整できればよい。
【００１７】
また、図示例に示すように、細切れ固形燃料が円柱状である必要がなく、図６に示すような方形体のもの１’であってもよい。なお、この図６に示すものは実公平１−２４１３９号公報により開示されている。この先行例によれば、アルミ箔容器３３の前後周側面には絞りではなく折り畳んで、これにより僅かなすき間を設け、その左右周側面には円形の開口部３６を設けている。しかしながら、固形燃料１’の高さとアルミ箔容器３３の高さとが略同じであることから、着火時における火力が上らず、また空気接触面が本発明のものに比べてはるかに小さい。
【００１８】
【発明の効果】
固形燃料の周側面部で山部と谷部とを設けたアルミ箔など難燃性材が接着又は接合されているために、燃焼の初期火力が強められ、谷底部に至るまで比較的強い火力が持続される。そして谷部以降は比較的低火力で燃焼する。そのように山部と谷部を適宜、目的に合わせて構成すれば、段階的にかつ自在に火力をコントロールでき、料理によっては、例えば釜めしでは火力が強くて比較的短い時間で燃焼つくしてしまい、その時間内で料理が炊き上っているような、早炊き用固形燃料が得られ、従来例では２０分であったものが約１０分で炊き終える。
【００１９】
また、アルミ箔など難燃性材が固形燃料の側面の全体をおおっていないために、過大な固形燃料内部の圧力蓄積が抑制され、随時圧力が解放されるので、火飛びが防止される。
【００２０】
本出願人は、予め樹脂フィルムにより包被された包装固形燃料上に金属箔材を器状に形成しかつ固定する自動加工装置を、実公平５−１６２００号公報により提案している。本発明によるアルミ箔など難燃性材の展開平面図を実施例のように決めれば、この自動加工装置を適用することにより、本発明による早炊き用固形燃料の大量生産が可能となる。
【００２１】
【図面の簡単な説明】
【図１】本発明の１実施例を示した周側面図とアルミ箔など難燃性材の展開平面図。
【図２】他の実施例を示した周側面図とアルミ箔など難燃性材の展開平面図。
【図３】さらに別の実施例を示したアルミ箔など難燃性材の展開平面図。
【図４】参考例を示した周側面図。
【図５】従来例を示した周側面図。
【図６】別の従来例を示した分解斜視図。
【符号の説明】
１    細切れ固形燃料
２    樹脂フィルム
３    アルミ箔など難燃性材
４    山部
５    谷部
６    絞りしわ
【図１】
0004256030.tif 000002
【図２】
0004256030.tif 000003
【図３】
0004256030.tif 000004
【図４】
0004256030.tif 000005
【図５】
0004256030.tif 000006
【図６】
0004256030.tif 000007